【事件の表示】
　特願２００４−　６０１５４「ゴルフクラブシャフト」拒絶査定不服審判事件〔平成１７年　９月１５日出願公開、特開２００５−２４５７３６〕について、次のとおり審決する。
【結　論】
　本件審判の請求は、成り立たない。
【理　由】
第１　手続の経緯
　本願は、平成１６年３月４日の出願であって、平成２１年４月７日に手続補正がなされ、同年７月３０日付けで拒絶査定がなされ、これに対して、同年１１月１１日付けで拒絶査定不服審判の請求がなされ、その請求と同時に手続補正がなされたものである。
　
第２　平成２１年１１月１１日付け手続補正についての補正却下の決定
〔補正却下の決定の結論〕 
　平成２１年１１月１１日付け手続補正を却下する。
　
〔理由〕
１　本件補正の内容
（１）平成２１年１１月１１日付け手続補正（以下「本件補正」という。）は、特許請求の範囲及び発明の詳細な説明についてするもので、特許請求の範囲の請求項１については、本件補正前に、
　
「グリップ側後端からヘッド側先端へと外径が先細りとなるパイプ状のゴルフクラブシャフトのシャフト全長のヘッド側２分の１の領域において、
　内径は、少なくとも２箇所でテーパーを変化させて、ヘッド側先端から第一テーパー変化点までの領域を第一テーパー部、第一テーパー変化点から第二テーパー変化点までの領域を第二テーパー部、第二テーパー変化点からグリップ側の領域を第三テーパー部とする３段テーパー形状とし、
　前記第二テーパー部は、ヘッド側先端より３０ｍｍ以上３００ｍｍ以下の領域内
に形
　外径は、ヘッド側先端より
一定領域
とあったものを、
　
「グリップ側後端からヘッド側先端へと外径が先細りとなるパイプ状のゴルフクラブシャフトのシャフト全長のヘッド側２分の１の領域において、
　内径は、少なくとも２箇所でテーパーを変化させて、ヘッド側先端から第一テーパー変化点までの領域を第一テーパー部、第一テーパー変化点から第二テーパー変化点までの領域を第二テーパー部、第二テーパー変化点からグリップ側の領域を第三テーパー部とする３段テーパー形状とし、
　前記第二テーパー部は、ヘッド側先端より３０ｍｍ以上３００ｍｍ以下の領域内に
全長を１００ｍｍ以上１６０ｍｍ以下として
　外径は、ヘッド側先端より
１００ｍｍ以上２５０ｍｍ以下の範囲内
とするものである（下線は審決で付した。以下同じ。）。
　
（２）上記（１）の請求項１に係る本件補正は、次の補正内容からなる。
　ア　本件補正前の請求項１に係る発明を特定するために必要な事項である「第二テーパー部」を、「全長を１００ｍｍ以上１６０ｍｍ以下として」形成したものと限定する。
　イ　本件補正前の請求項１に係る発明を特定するために必要な事項である「外径ストレート部」に係る「一定領域」を、「１００ｍｍ以上２５０ｍｍ以下の範囲内」と限定する。
　
２　本件補正の目的
　上記１（２）ア及びイの補正内容は、本件補正前の請求項１に係る発明を特定するために必要な事項を限定して、本件補正後の請求項１とするものであるから、請求項１に係る本件補正は、平成１８年法律第５５号改正附則第３条第１項によりなお従前の例によるとされる同法による改正前の特許法（以下「旧特許法」という。）第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（旧特許法第１７条の２第５項において準用する同法第１２６条第５項の規定に適合するか）について以下検討する。
　
３　独立特許要件
（１）本願補正発明
　本願補正発明は、上記第２〔理由〕１（１）に本件補正後の請求項１として記載したとおりのものである。
　
（２）引用刊行物及び引用発明
　ア　原査定の拒絶の理由に引用された、本願の出願前に頒布された刊行物である特開２００３−１９０３４１号公報（以下「引用例１」という。）には、次の事項が図とともに記載されている。
　
（ア）  「【０００９】
【課題を解決するための手段】上記課題を解決するため、本発明は、ＴＩＰ側の急テーパ部とＢＵＴＴ側の緩テーパ部とを連続して備えたマンドレルに、少なくともアングル層とストレート層の繊維強化プリプレグを巻き回して成形されるゴルフクラブシャフトであって、上記アングル層の繊維強化プリプレグの内少なくとも１枚はＴＩＰ側アングル補強層の繊維強化プリプレグとし、上記ＴＩＰ側アングル補強層の繊維強化プリプレグのＢＵＴＴ側端は上記急テーパ部と緩テーパ部の境界位置よりＢＵＴＴ側にあり、かつ、上記ＴＩＰ側アングル補強層の繊維強化プリプレグのＢＵＴＴ側端から上記境界位置までの距離はシャフト全長の５％以上３０％以下であることを特徴とするゴルフクラブシャフトを提供している。
【００１０】本発明者は鋭意研究の結果、マンドレルの
ＴＩＰ側（ヘッド取付側）
【００１１】具体的には、強化繊維をシャフト軸方向に対して傾斜させているアングル層や強化繊維をシャフト軸方向に対して平行としているストレート層をシャフト全長に渡って配置する以外に、シャフト中で特に外径が細いため最も捻れやすいＴＩＰ側部分に、低トルクを実現するアングル層のプリプレグを積層させることで、効率良く軽量かつ低トルクを実現することができる。
【００１２】繊維強化プリプレグをマンドレルに巻き付け時において、上記ＴＩＰ側アングル補強層の繊維強化プリプレグの
ＢＵＴＴ側（グリップ取付側）
【００１３】本発明の効果を得るには、上記ＴＩＰ側アングル補強層の繊維強化プリプレグの長さは、シャフト全長の５５％以下、好ましくは４０％以下であるのが良い。また、上記ＴＩＰ側アングル補強層の繊維強化プリプレグのＴＩＰ側端は、シャフトのＴＩＰ端と一致させて積層するのが好ましいが、シャフトのＴＩＰ端より少しＢＵＴＴ側へずらしても良く、ヘッド取付時にホーゼル内に納まる部分には積層されなくても良い。
【００１４】上記
急テーパ部のテーパ（傾斜）率は１５／１０００以上３５／１０００以下とするのが好ましい
【００１５】上記緩テーパ部のテーパ（傾斜）率は６／１０００以上１０／１０００以下であるのが好ましい。上記範囲以外とすると、シャフトのＴＩＰ側またはＢＵＴＴ側の外径が大きすぎ、あるいは小さすぎて既存のヘッド、グリップに適合しなくなるためである。」
　
（イ）　「【００３３】
【発明の実施の形態】以下、本発明の実施形態を図面を参照して説明する。図１は、本発明の
第１実施形態のゴルフクラブシャフト
シャフト１は、
中空パイプ状である。シャフト１の小径端（先端）側にヘッド２が取り付けられ、大径端（後端）側にグリップ３が取り付けられ
シャフト１の長さは１１４３ｍｍ
シャフト１のＴＩＰ端１ａの外径は９．０ｍｍ、シャフト１のＢＵＴＴ端１ｂの外径は１５．７ｍｍ
【００３４】図２は、本発明の
第１実施形態に係るゴルフクラブシャフトの製造に用いられるマンドレル１０
マンドレル１０は、ＴＩＰ側から順に、テーパ率が８／１０００でありシャフト１の軸線方向におけるテーパ率が緩やかな先端緩テーパ部１０Ａ、テーパ率が２５／１０００でありテーパ率が急な急テーパ部１０Ｂ、テーパ率が８／１０００でありテーパ率が緩やかな緩テーパ部１０Ｃを連続して備えて
【００３５】
先端緩テーパ部１０Ａはシャフト１のＴＩＰ端１ａにあたる位置Ｐ１から１００ｍｍの長さとし、急テーパ部１０Ｂは先端緩テーパ部１０Ａの終点から１００ｍｍの長さとし、緩テーパ部１０Ｃは急テーパ部１０Ｂの終点からシャフト１のＢＵＴＴ端１ｂにあたる位置Ｐ３までの範囲としている
【００３６】図３に、マンドレル１０、及びマンドレル１０に巻き付ける繊維強化プリプレグ１１〜１８の積層構成を示す。繊維強化プリプレグ１１は、強化繊維Ｆ１１がシャフト軸線に対してなす繊維角度を０°（ストレート層）としており、ＴＩＰ側に配置し５回巻き、長さを２００ｍｍとしている。繊維強化プリプレグ１２、１３は、強化繊維Ｆ１２、Ｆ１３がシャフト軸線に対してなす繊維角度を各々＋４５°、−４５°（アングル層）としシャフト全長に渡って配置し各々ＴＩＰ側３回巻き、ＢＵＴＴ側２回巻き（連続的に変化）、長さを１１４３ｍｍとしている。繊維強化プリプレグ１４は、強化繊維Ｆ１４がシャフト軸線に対してなす繊維角度を０°としており、ＢＵＴＴ側に配置し１回巻き、長さを３５０ｍｍとしている。繊維強化プリプレグ１５は、強化繊維Ｆ１５がシャフト軸線に対してなす繊維角度を０°としており、シャフト全長に渡って配置し１回巻き、長さを１１４３ｍｍとしている。繊維強化プリプレグ１６は、強化繊維Ｆ１６がシャフト軸線に対してなす繊維角度を０°としており、シャフト全長に渡って配置し２回巻き、長さを１１４３ｍｍとしている。繊維強化プリプレグ１７、１８は、強化繊維Ｆ１７、Ｆ１８がシャフト軸線に対してなす繊維角度を各々＋４５°、−４５°としており、ＴＩＰ側に配置し各々６回巻き、長さを３００ｍｍとしている。
【００３７】繊維強化プリプレグ１７、１８は、ＴＩＰ側アングル補強層であり、引張破断歪みは１．７％としている。繊維強化プリプレグ１７、１８のＢＵＴＴ側端１７ａ、１８ａは、急テーパ部１０Ｂと緩テーパ部１０Ｃの境界位置Ｐ２よりＢＵＴＴ側にあり、繊維強化プリプレグ１７、１８のＢＵＴＴ側端１７ａ、１８ａから境界位置Ｐ２までの距離（境界位置からのずれ）は１００ｍｍであり、シャフト全長の約８．７％としている。
【００３８】
シャフト１は、
繊維強化プリプレグ１１〜１８をマンドレル１０に、順次（繊維強化プリプレグ１１→１２→…１８）内層側から巻き付けて積層した後、
テープでラッピングしてオーブン中で加熱加圧して樹脂を硬化させて一体的に成形し、その後、マンドレル１０を引き抜いて、シャフト１を形成している
【００３９】このように、ＴＩＰ側に急テーパ部１０Ｂを設けたマンドレルに、繊維強化プリプレグ１１〜１６を積層すると共に、ＴＩＰ側アングル補強層の繊維強化プリプレグ１７、１８を最適位置に配置しているため、シャフトの軽量化と低トルクを実現できる上に、シャフト折れしない十分な強度を得ることができる。」
　
（ウ）図１から、
ゴルフクラブシャフト１は、後端１ｂから先端１ａに向かって先細りとなる形状である
　
（エ）上記（ア）ないし（ウ）から、引用例１全体、特に第１実施態様には、次の発明（以下「引用発明」という。）が記載されていると認められる。
　
「先端側にヘッドが取り付けられ、後端側にグリップが取り付けられる中空パイプ状のゴルフクラブシャフトであって、
　前記ゴルフクラブシャフトは、
　後端から先端に向かって先細りとなる形状であって、長さは１１４３ｍｍ、先端の外径は９．０ｍｍ、後端の外径は１５．７ｍｍであり、かつ、
　複数の繊維強化プリプレグをマンドレルに、順次内層側から巻き付けて積層した後、テープでラッピングしてオーブン中で加熱加圧して樹脂を硬化させて一体的に成形し、その後、マンドレルを引き抜いて形成されたものであり、
　前記マンドレルは、先端側から順に、テーパ率が８／１０００でありシャフトの軸線方向におけるテーパ率が緩やかな先端緩テーパ部、テーパ率が２５／１０００でありテーパ率が急な急テーパ部、テーパ率が８／１０００でありテーパ率が緩やかな緩テーパ部を連続して備えており、
　前記先端緩テーパ部は、シャフトの先端にあたる位置から１００ｍｍの長さとし、前記急テーパ部は、先端緩テーパ部の終点から１００ｍｍの長さとし、前記緩テーパ部は、急テーパ部の終点からシャフトの後端にあたる位置までの範囲としている、
　ゴルフクラブシャフト。」
　
　イ　原査定の拒絶の理由に引用された、本願の出願前に頒布された刊行物である特開平７−２１３６５４号公報（以下「引用例２」という。）には、次の事項が図とともに記載されている。
　
（ア） 「【００１３】また、本発明によるゴルフクラブシャフトセットでは、
チップ端から一定の長さにわたって同一外径に形成された部分（図１の５に相当）の長さＳが番手が大きくなるに従って順次短くなるように設定されている
番手の小さい長いシャフトから順次キックポイントをバット側に移行でき、ロングアイアンは先調子、ショートアイアンは手元調子となるゴルフクラブシャフトセットが得られる
…（略）…
【００１５】 さらに、
本発明のゴルフクラブシャフトセットでは、各シャフトのキックポイントが番手が大きくなるに従って順次チップ側からバット側に移行するように設定されている
キックポイントとは、シャフトを軸方向に圧縮したときの最大たわみ位置
シャフトのキックポイントを番手に応じて
移行させるには
同一外径部分の長さＳ
を調整すればよい
シャフトのキックポイントが上記のように移行することにより、番手の小さいアイアンは打球が上がりやすく、順次番手が大きくなるに従い打球の方向性の正確さが出るという利点がある
　
（イ）　「【００２４】
【実施例】以下、本発明を実施例及び比較例により更に詳しく説明する。
【００２５】実施例１
マンドレルとして、全長１２００ｍｍ、先端径２．７ｍｍφ、後端径１３．３ｍｍφで２段テーパー（先端から４００ｍｍの位置に境界があり、その位置での径が７．２ｍｍφ）のものを用意した。次に、エポキシ樹脂（エピコート＃８２８：油化シェルエポキシ社製）と硬化剤とを混合してなるエポキシ樹脂組成物を含浸した炭素繊維（炭素繊維の引張り弾性率は２４．５×１０3ｋｇｆ／ｍｍ2、引張り強度は４９０ｋｇｆ／ｍｍ2、商品名ベスファイトＵＴ−５００：東邦レーヨン社製）を、上記マンドレルのまわりに、フィラメントワインディング法により、細径側で＋３０度、太径側で＋４０度及び太径側で−４０度、細径側で−３０度の巻き角度で往復させて細径側の径が５．０ｍｍφ、太径側の径が１４．２ｍｍφとなるまで巻き付け、内層を形成した。次に、上記と同じエポキシ樹脂組成物を上記と同じ炭素繊維に含浸させたものを用い、これを内層の周囲に、フィラメントワインディング法により、全体（細径側から太径側及び太径側から細径側）にわたって＋２０度、−２０度の巻き角度で往復させて細径側の径が９．７ｍｍφ、太径側の径が１６．７ｍｍφとなるまで巻き付け、外層を形成した。次に、外層の周囲にポリエステルフィルムを巻き付け、１５０℃で２時間加熱することにより内層及び外層の樹脂組成物を硬化させた後、
マンドレルを引き抜いてゴルフクラブシャフト素管を得た。同様にして８本のゴルフクラブシャフト素管を得た
【００２６】次に、上記
ゴルフクラブシャフト素管のうちの１本について、先端から１００ｍｍの位置でカットしてチップ端とし
３番アイアン用シャフト
チップ端から同一外径部分のバット側端位置までの距離Ｌ1は１５０ｍｍ
【００２７】また、上記
ゴルフクラブシャフト素管の残りのものについて、先端から１００ｍｍの位置でカットしてチップ端とし
チップ端から同一外径部分のバット側位置までの距離Ｌ1は表１に示す値となるように研磨した後、塗装してそれぞれ４番〜９番アイアン用シャフト及びＰＷ用シャフトを製造した
【００２８】
【表１】
【００２９】実施例２
実施例１で製造したものと同様なゴルフクラブシャフト素管を用い、Ｌ1の値がそれぞれ表２となるように研磨を行った以外は同様にして本発明によるゴルフクラブシャフトセットを製造した。
【００３０】
【表２】
」　
　
（ウ）　「
」
　
（３）　対比
　本願補正発明と引用発明とを対比する。
　ア　引用発明の「『先端側にヘッドが取り付けられ、後端側にグリップが取り付けられ』る、『後端から先端に向かって先細り』となる『中空パイプ状のゴルフクラブシャフト』」は、本願補正発明の「グリップ側後端からヘッド側先端へと外径が先細りとなるパイプ状のゴルフクラブシャフト」に相当する。
　
　イ　引用発明のゴルフクラブシャフトは、長さ１１４３ｍｍのもので、複数の繊維強化プリプレグをマンドレルに、順次内層側から巻き付けて積層した後、テープでラッピングしてオーブン中で加熱加圧して樹脂を硬化させて一体的に成形し、その後、マンドレルを引き抜いて形成されたものであるから、引用発明のゴルフクラブシャフトの内面形状は、マンドレルの外面形状に一致したものとなることが明らかであるところ、前記マンドレルは、先端側から順に、テーパ率が８／１０００でありシャフトの軸線方向におけるテーパ率が緩やかな先端緩テーパ部、テーパ率が２５／１０００でありテーパ率が急な急テーパ部、テーパ率が８／１０００でありテーパ率が緩やかな緩テーパ部を連続して備えており、前記先端緩テーパ部は、シャフトの先端にあたる位置から１００ｍｍの長さとし、前記急テーパ部は、先端緩テーパ部の終点から１００ｍｍの長さとし、前記緩テーパ部は、急テーパ部の終点からシャフトの後端にあたる位置までの範囲としているものである。
　したがって、引用発明のゴルフクラブシャフトの内面形状は、先端から順に、テーパ率が８／１０００でありシャフトの軸線方向におけるテーパ率が緩やかな、長さ１００ｍｍの先端緩テーパ部、テーパ率が２５／１０００でありテーパ率が急な、長さ１００ｍｍの急テーパ部、テーパ率が８／１０００でありテーパ率が緩やかな、長さ９４３ｍｍの緩テーパ部を連続して備えたものと認められるから、引用発明のゴルフクラブシャフトの内面形状に係る「先端緩テーパ部」、「急テーパ部」及び「緩テーパ部」は、それぞれ、本願補正発明の「第一テーパー部」、「第二テーパー部」及び「第三テーパー部」に相当するとともに、引用発明は、本願補正発明の「ゴルフクラブシャフトのシャフト全長のヘッド側２分の１の領域において、内径は、少なくとも２箇所でテーパーを変化させて、ヘッド側先端から第一テーパー変化点までの領域を第一テーパー部、第一テーパー変化点から第二テーパー変化点までの領域を第二テーパー部、第二テーパー変化点からグリップ側の領域を第三テーパー部とする３段テーパー形状とし、」との事項、及び、本願補正発明の「『前記第二テーパー部は、ヘッド側先端より３０ｍｍ以上３００ｍｍ以下の領域内に全長を１００ｍｍ以上１６０ｍｍ以下として形成』し、『テーパー』を『前記第一テーパー部および第三テーパー部のテーパーよりも大』とし、」との事項を備えている。
　
　ウ　上記ア及びイから、本願補正発明と引用発明とは、
「グリップ側後端からヘッド側先端へと外径が先細りとなるパイプ状のゴルフクラブシャフトのシャフト全長のヘッド側２分の１の領域において、
　内径は、少なくとも２箇所でテーパーを変化させて、ヘッド側先端から第一テーパー変化点までの領域を第一テーパー部、第一テーパー変化点から第二テーパー変化点までの領域を第二テーパー部、第二テーパー変化点からグリップ側の領域を第三テーパー部とする３段テーパー形状とし、
　前記第二テーパー部は、ヘッド側先端より３０ｍｍ以上３００ｍｍ以下の領域内に全長を１００ｍｍ以上１６０ｍｍ以下として形成し、テーパーを前記第一テーパー部および第三テーパー部のテーパーよりも大とした、
　ゴルフクラブシャフト。」
である点で一致し、次の点で相違する。
　
相違点１：
　前記第二テーパー部のテーパーが、本願補正発明では、「１０／１０００以上２０／１０００以下」であるのに対して、引用発明では、「２５／１０００」である点。
　
相違点２：
　本願補正発明では、前記ゴルフクラブシャフトに、「『ヘッド側先端より１００ｍｍ以上２５０ｍｍ以下の範囲内を同一径』とした『外径ストレート部』」が形成されており、該外径ストレート部のグリップ側端が、「第二テーパー部に位置し、かつ、第一テーパー変化点と第二テーパー変化点のいずれからも５０ｍｍ以上離隔」しているのに対して、引用発明では、前記ゴルフクラブシャフトに、そのような外径ストレート部がない点。
　
（４）判断 
　上記相違点１及び２について検討する。
　ア　相違点１について
（ア）引用例１の「【００１４】上記急テーパ部のテーパ（傾斜）率は１５／１０００以上３５／１０００以下とするのが好ましい。上記範囲としているのは、１５／１０００より小さいとＴＩＰ側で充分な肉厚が得られずシャフト折れが発生しやすくなるためであり、３５／１０００より大きいと成型の作業性が悪くなると共に、緩テーパ部と急テーパ部の境界でテーパ変化が大きくなることにより応力集中によるシャフト折れが発生しやすくなるためである。」（上記（２）ア（ア）参照。）との記載からも明らかなように、引用発明における急テーパ部のテーパ率は、当業者が適宜決定すべき設計事項というべきものである。
（イ）上記（ア）から、引用発明の急テーパ部のテーパ率を「１０／１０００以上２０／１０００以下」とし、上記相違点１に係る本願補正発明の構成となすことは、当業者が引用例１に記載された事項に基づいて適宜なし得た設計上のことである。
　
　イ　相違点２について
（ア）引用例２には、ゴルフクラブシャフトに「チップ端から一定の長さにわたって同一外径に形成された部分」を設け、当該部分の長さを調整してゴルフクラブシャフトの調子を変えること、及び、当該部分の長さを３番アイアン用シャフトのとき１５０ｍｍに設定することが記載されている（上記（２）イ参照。）。
（イ）上記（ア）から、引用発明において、所望のゴルフクラブシャフトの調子を得るために、ゴルフクラブシャフトに先端から１５０ｍｍの長さにわたって同一外径に形成された部分を設けることは、当業者が引用例２に記載された事項に基づいて容易になし得たことである。
（ウ）上記（イ）の「先端から１５０ｍｍの長さにわたって同一外径に形成された部分」は、本願補正発明の「『ヘッド側先端より１００ｍｍ以上２５０ｍｍ以下の範囲内を同一径』とした『外径ストレート部』」に相当する。
　また、上記（イ）の「外径ストレート部（先端から１５０ｍｍの長さにわたって同一外径に形成された部分）」の後端側は、先端から１５０ｍｍに位置するから、第一テーパー変化点（先端から１００ｍｍ）と第二テーパー変化点（先端から２００ｍｍ）のいずれからも５０ｍｍ離れていることになり、このことは、本願補正発明の「外径ストレート部のグリップ側端が、『第二テーパー部に位置し、かつ、第一テーパー変化点と第二テーパー変化点のいずれからも５０ｍｍ以上離隔』」している」ことに相当する。
（エ）上記（イ）及び（ウ）から、引用発明において、相違点２に係る本願補正発明の構成となすことは、当業者が、引用例２に記載された事項に基づいて容易になし得たことである。
　
　ウ　効果について
　本願補正発明の奏する効果は、当業者が、引用発明の奏する効果並びに引用例１及び２に記載された事項の奏する効果から予測できた程度のものである。
　
　エ　まとめ
　したがって、本願補正発明は、当業者が、引用例１に記載された発明並びに引用例１及び２に記載された事項に基づいて容易に発明をすることができたものである。
　よって、本願補正発明は、特許法第２９条第２項の規定により、特許出願の際独立して特許を受けることができないものである。
　
４　小括
　以上のとおり、本願補正発明は、特許出願の際独立して特許を受けることができないものであるから、本件補正は、旧特許法第１７条の２第５項の規定に違反するものである。
　したがって、本件補正は、同法第１５９条第１項において読み替えて準用する同法第５３条第１項の規定により却下すべきものである。
　
第３　本願発明について
１　本願発明
　本件補正は、上記第２のとおり却下されたので、本願の請求項１ないし４に係る発明は、平成２１年４月７日付けの手続補正により補正された明細書、特許請求の範囲及び図面の記載からみて、特許請求の範囲の請求項１ないし４に記載された事項によってそれぞれ特定されるものであるところ、請求項１に係る発明（以下「本願発明」という。）は、上記第２〔理由〕１（１）に本件補正前の請求項１として記載したとおりのものである。
　
２　引用例
　原査定の拒絶の理由に引用された引用例１及び２並びにそれらの記載事項は、上記第２〔理由〕３（２）に記載したとおりのものである。
　
３　対比・判断
　本願発明は、上記第２〔理由〕３で検討した本願補正発明において、その発明特定事項である「第二テーパー部」に係る「全長を１００ｍｍ以上１６０ｍｍ以下」との限定、及び「外径ストレート部」に係る「１００ｍｍ以上２５０ｍｍ以下の範囲内」との限定をそれぞれ省いたものに相当する。
　そうすると、本願発明の構成要件をすべて含み、さらに上記限定を付加したものに相当する本願補正発明が、上記第２〔理由〕３に記載したとおり、当業者が、引用例１に記載された発明並びに引用例１及び２に記載された事項に基づいて容易に発明をすることができたものであるから、本願発明も同様の理由により、当業者が、引用例１に記載された発明並びに引用例１及び２に記載された事項に基づいて容易に発明をすることができたものである。
　
４　むすび
　以上のとおり、本願発明は、当業者が、引用例１に記載された発明並びに引用例１及び２に記載された事項に基づいて容易に発明をすることができたものであるから、特許法第２９条第２項の規定により特許を受けることができない。
　したがって、本願のその余の請求項に係る発明について検討するまでもなく、本願は拒絶を免れない。
　よって、結論のとおり審決する。